(57)【要約】【課題】  開口部側収納部の奥に並設された奥側収納部に対して、キャビネットの開口部を大きく開けて各種物品を容易に出し入れでき、且つ、開口部側収納部を短い移動ストロークで前後方向に移動させることができる収納庫を提供する。【解決手段】  収納庫１は、開口部１０側に位置してキャビネット７内に設けられた開口部側収納部２０と、開口部側収納部に並設しキャビネット内の奥側に設けられた奥側収納部２１と、開口部側収納部の収納棚２４を水平面内で回動可能に支持し、開口部の一方側で且つ開口部近傍の内部側位置に縦方向に配置された支持軸２２と、支持軸を前後方向に平行移動可能に支持するとともに、支持軸を内部側位置から開口部近傍の外部側位置Ｓ2まで引き出し可能な支持軸移動手段２３とを備えている。【選択図】    図８
2006000418.tif 000002
【特許請求の範囲】
【請求項１】
収納庫と厨房家具が平面視で直角に設置されるとともに前記収納庫のキャビネットの前面の一部と前記厨房家具とが接触状態または非接触状態で相対向し、
前記キャビネット前面に設けられた開口部が前記厨房家具とは離れた位置に形成された収納庫であって、
前記開口部側に位置して前記キャビネット内に設けられた開口部側収納部と、
この開口部側収納部に並設し前記キャビネット内の奥側に設けられた奥側収納部と、
前記開口部側収納部の収納棚を水平面内で回動可能に支持し、前記開口部の一方側で且つ前記開口部の近傍の内部側位置に縦方向に配置された支持軸と、
この支持軸を前後方向に平行移動可能に支持するとともに、この支持軸を前記内部側位置から前記開口部の近傍の外部側位置まで引き出し可能な支持軸移動手段とを備えたことを特徴とする収納庫。
【請求項２】
請求項１に記載の収納庫であって、
前記支持軸を前記外部側位置まで引き出して、前記開口部側収納部の前記収納棚を回転させて前記キャビネットの外方に引き出した状態で、前記奥側収納部を前記開口部のところまで前記キャビネット内を移動可能にしたことを特徴とする収納庫。
【請求項３】
請求項１または２に記載の収納庫であって、
前記開口部側収納部の前記収納棚は複数段設けられ、この複数段の収納棚は、前記外部側位置まで引き出された前記支持軸を中心として全体が同時にまたは個別に回動可能であることを特徴とする収納庫。
【請求項４】
請求項３に記載の収納庫であって、前記開口部側収納部の前記収納棚は、前記外部側位置まで引き出された前記支持軸を中心としてほぼ１８０度の回動可能範囲内で回動可能であることを特徴とする収納庫。
【請求項５】
請求項１ないし４のいずれかの項に記載の収納庫であって、前記厨房家具はシステムキッチンであることを特徴とする収納庫。
【発明の詳細な説明】
【技術分野】
【０００１】
本発明は、システムキッチンなど厨房家具のすぐ横に平面視で直角に設置される収納庫に関する。
【背景技術】
【０００２】
システムキッチンなど厨房家具のすぐ横に、各種物品を収納するための収納庫が設けられる場合があり、たとえば、本出願人は、本発明の関連技術として特許文献１（特開２００３−１６４３４１号公報）に対面式厨房家具の収納庫を提案している。この特許文献１に記載の収納庫では、その棚板は回動しない。
【０００３】
これに対して、図１３，図１４に示す従来の収納庫１０１は、収納棚１０２が水平面内で回動可能になっている。図１３は、開口部１０６を扉１０３で閉めた状態の従来の収納庫１０１の平面断面図、図１４は、開口部側収納部１０４の収納棚１０２を回転させた状態の従来の収納庫１０１の平面断面図である。
収納棚１０２を回動可能に支持する支持軸１０５は、開口部１０６の近傍の内部側位置に配置されている。収納庫１０１とシステムキッチン１０７は、平面視で直角に設置されている。収納庫１０１は、開口部側収納部１０４と、その奥に設けられて移動可能な奥側収納部１０８とを有している。
【０００４】
【特許文献１】特開２００３−１６４３４１号公報
【発明の開示】
【発明が解決しようとする課題】
【０００５】
前記構成の従来の収納庫１０１では、支持軸１０５がキャビネット１０９の内側に配置されているので、矢印Ｂに示すように収納棚１０２を水平面内で回転させると、収納棚１０２の背面１１０がキャビネット１０９に当たってしまって、それ以上は収納棚１０２を外方に回転させることはできない。
ユーザＭが、奥側収納部１０８を矢印Ｃに示すように移動させて、奥側収納部１０８に対して各種物品１１１を出し入れする場合に、収納棚１０２の回動可能範囲が狭い（たとえば、１０５度）ので、キャビネット１０９の開口部１０６を大きく開けることができない。
すなわち、収納棚１０２が邪魔になって開口部１０６を大きく開けることができないので、ユーザＭが開口部１０６のすぐ前に立つのが難しく、奥側収納部１０８に対して各種物品１１１を出し入れする作業が困難であった。
【０００６】
本発明は、このような課題を解決するためになされたもので、開口部側収納部の奥に並設された奥側収納部に対して、キャビネットの開口部を大きく開けて各種物品を容易に出し入れでき、且つ、開口部側収納部を短い移動ストロークで前後方向に移動させることができる収納庫を提供することを目的とする。
【課題を解決するための手段】
【０００７】
上述の目的を達成するため、本発明にかかる収納庫は、収納庫と厨房家具が平面視で直角に設置されるとともに前記収納庫のキャビネットの前面の一部と前記厨房家具とが接触状態または非接触状態で相対向し、前記キャビネット前面に設けられた開口部が前記厨房家具とは離れた位置に形成された収納庫であって、前記開口部側に位置して前記キャビネット内に設けられた開口部側収納部と、この開口部側収納部に並設し前記キャビネット内の奥側に設けられた奥側収納部と、前記開口部側収納部の収納棚を水平面内で回動可能に支持し、前記開口部の一方側で且つ前記開口部の近傍の内部側位置に縦方向に配置された支持軸と、この支持軸を前後方向に平行移動可能に支持するとともに、この支持軸を前記内部側位置から前記開口部の近傍の外部側位置まで引き出し可能な支持軸移動手段とを備えている。
前記収納庫は、前記支持軸を前記外部側位置まで引き出して、前記開口部側収納部の前記収納棚を回転させて前記キャビネットの外方に引き出した状態で、前記奥側収納部を前記開口部のところまで前記キャビネット内を移動可能にするのが好ましい。
前記開口部側収納部の前記収納棚は複数段設けられ、この複数段の収納棚は、前記外部側位置まで引き出された前記支持軸を中心として全体が同時にまたは個別に回動可能であるのが好ましい。
前記開口部側収納部の前記収納棚は、前記外部側位置まで引き出された前記支持軸を中心としてほぼ１８０度の回動可能範囲内で回動可能であるのが好ましい。たとえば、前記厨房家具はシステムキッチンである。
【発明の効果】
【０００８】
本発明の収納庫は、上述のように構成したので、開口部側収納部の奥に並設された奥側収納部に対して、キャビネットの開口部を大きく開けて各種物品を容易に出し入れでき、且つ、開口部側収納部を短い移動ストロークで前後方向に移動させることができる。
【発明を実施するための最良の形態】
【０００９】
下記の実施例にかかる収納庫では、開口部側収納部の収納棚を支持する支持軸を支持軸移動手段により前後方向に平行移動可能に支持するとともに、この支持軸を開口部近傍の内部側位置から開口部近傍の外部側位置まで引き出し可能にしている。
これにより、奥側収納部に対してキャビネットの開口部を大きく開けて各種物品を容易に出し入れでき、且つ、開口部側収納部を短い移動ストロークで前後方向に移動させることができるという目的を実現している。
【実施例】
【００１０】
以下、本発明にかかる一実施例を、図１ないし図１２を参照して説明する。
図１ないし図１２は本発明の一実施例を示す図で、図１は、収納庫の平面断面図で開口部を閉じた状態を示している。図２は、収納庫とシステムキッチンの斜視図で、開口部を開けた状態を示している。図３は収納庫の部分斜視図、図４は、収納庫の開口部側収納部の部分斜視図、図５は収納庫の奥側収納部の斜視図である。
図６は収納庫の平面断面図、図７は、収納庫とシステムキッチンの斜視図である。図６，図７は、それぞれ支持軸を前方に引き出した状態を示している。図８は、収納庫の平面断面図で、開口部側収納部の収納棚を回転させる状態を示している。図９は、収納庫とシステムキッチンの斜視図、図１０は収納庫の平面断面図である。図９，図１０は、それぞれ開口部側収納部の収納棚を１８０度回転させた状態を示している。
図１１は、本実施例の変形例を示す図で、他の家具が収納庫と並んで設置された場合の平面断面図、図１２は、図１１の他の家具に把手が設けられている場合の平面断面図である。
なお、説明の便宜上、図１の矢印Ｄ1，Ｄ2，Ｄ3，Ｄ4を、それぞれ収納庫１の前方，後方，右方，左方として説明する。
【００１１】
図１ないし図１２に示すように、本発明の収納庫（パントリー）１と、厨房家具としてのシステムキッチン２が、平面視で直角（たとえば、倒Ｌ字状，Ｌ字状）に設置されている。収納庫１はシステムキッチン２のすぐ横に配置されている。
システムキッチン２は台所に設置されるキッチンの一種であるが、厨房家具としては、システムキッチンの他に、キッチン，収納庫，流し台，洗面台などであってもよい。また、システムキッチン自体の平面視形状は、Ｉ字状の場合を示したがＬ字状であってもよい。
システムキッチン２は、床面３上に設置されたキッチンキャビネット４を有している。キッチンキャビネット４には、複数の引き出し，コンロ，シンクなどが設けられており、台所の壁面５に寄せて設置されている。
【００１２】
収納庫１は、システムキッチン２と直交する方向を向いて床面３上に設置されている。台所の壁面６と壁面５は直角に形成され、収納庫１のキャビネット７は壁面６に寄せて配置されている。
収納庫１はシステムキッチン２のすぐ横に配置されているので、キャビネット７の前面８の一部とシステムキッチン２とが、接触状態または非接触状態で相対向している。すなわち、キャビネット７の前面８のうち右側下方部が、キッチンキャビネット４を構成する一方の側板９と重なり合っている。
このようにして、収納庫１の前面８の一部にシステムキッチン２を直角に押し当てて、収納庫１とシステムキッチン２を平面視で直角に設置している。
【００１３】
キャビネット７の前面８には開口部１０が設けられており、この開口部１０は、システムキッチン２とは離れた位置（ここでは、左側の位置）に形成されている。開口部１０は、キャビネット７に設けられた扉１１を左右方向に移動させることにより開閉可能になっている。
扉１１を右側に移動させれば、前面８の全体のうちほぼ左半分が開口部１０として大きく開口するように、開口部１０は、キャビネット７の底板から天井板に至るまで大きく形成されている。これにより、開口部側収納部２０は開口部１０を通って回動することができ、また、収納庫１に各種物品１２を容易に出し入れできる。なお、開口部１０は開放したままで、扉１１を設けない場合であってもよい。
【００１４】
収納庫１は、開口部側収納部２０，奥側収納部２１，支持軸２２および支持軸移動手段２３を備えている。開口部側収納部２０は、キャビネット７内で開口部１０側（ここでは、左半分）に位置して設けられている。奥側収納部２１は、開口部側収納部２０に並設し、キャビネット７内の奥側（ここでは、右半分）に設けられている。
支持軸２２は、開口部側収納部２０の収納棚２４を水平面内で回動可能に支持している。収納棚２４には、各種物品１２を出し入れ可能に収納することができる。支持軸２２は、開口部１０の一方側（ここでは、左側）で且つ開口部１０の近傍の内部側位置Ｓ1に、縦方向に配置されている。
【００１５】
支持軸移動手段２３は、支持軸２２を前後方向に平行移動可能に支持するとともに、支持軸２２を内部側位置Ｓ1から開口部１０の近傍の外部側位置Ｓ2まで引き出し可能になっている。
したがって、支持軸移動手段２３で支持軸２２を外部側位置Ｓ2まで引き出した状態で、開口部側収納部２０の収納棚２４を水平面内で大きく回動させることができる。その結果、開口部側収納部２０の奥（ここでは、右側）に並設された奥側収納部２１に対して、開口部１０を大きく開けて各種物品１２を容易に出し入れすることができる。
支持軸２２が後退してキャビネット７内に収納されたときの内部側位置Ｓ1と、支持軸２２が前方に引き出されたときの外部側位置Ｓ2は、両方とも開口部１０の近傍に位置して互いに近い距離にある。
したがって、開口部側収納部２０を、内部側位置Ｓ1と外部側位置Ｓ2との間の短い移動ストロークＳで前後方向に短時間で移動させることができる。
【００１６】
収納庫１では、支持軸２２を外部側位置Ｓ2まで引き出して、開口部側収納部２０の収納棚２４を時計回り方向に回転させてキャビネット７の外方に引き出した状態で、奥側収納部２１を、開口部１０のところまでキャビネット７内を矢印Ｅ（図１０）に示すように移動可能にしている。
これにより、ユーザＭは、開口部１０のすぐ前に立って奥側収納部２１に対して各種物品１２を容易に出し入れすることができる。
奥側収納部２１が、開口部１０のところまでキャビネット７内を移動できるので、システムキッチン２で前面８の一部が塞がれた収納庫１の右半分も、デッドスペースにならずに収納機能を発揮することができる。
奥側収納部２１は、下部に四つのキャスター２５が取付けられたフレーム２６と、フレーム２６に着脱可能に取付けられた一つまたは複数（ここでは、三個）の収納棚２７とを有している。上下に三段の収納棚２７には、それぞれ各種物品１２を出し入れ可能に収納することができる。
【００１７】
また、変形例として、奥側収納部２１は、キャビネット７内で奥側（ここでは、右側）に固定されて移動しない場合であってもよい。この奥側収納部２１が移動しない構造の場合でも、収納棚２４の所定の段または全部の段をキャビネット７の外部に引き出すことにより、開口部１０が大きく開く。
したがって、ユーザＭは、この開口部１０から奥側収納部２１まで手を伸ばすか、または開口部１０から身体ごとキャビネット７内に入って奥側収納部２１に対して各種物品１２を出し入れできるので、収納庫１の右半分がデッドスペースになることはない。
【００１８】
開口部側収納部２０の収納棚２４は、一段または複数段（ここでは、三段）設けられている。複数段（三段）の収納棚２４は、外部側位置Ｓ2まで引き出された支持軸２２を中心として全体が同時に回動可能である。そのために、上下三段の収納棚２４は、連結部材などで相互に連結されている。
三段の収納棚２４の全体を時計回り方向に回転させて、キャビネット７の外部に完全に引き出すことにより、開口部１０のところのキャビネット７内部（すなわち、キャビネット７の左半分）が空きスペースになるので、奥側収納部２１を左方向に移動させて開口部１０のところに位置させることができる。
三段の収納棚２４の全体を同時に回動させる場合には、回動動作に必要な力は大きくなるが、一回の操作で迅速にすべての収納棚２４を引き出したり収納したりできるので使い勝手がよい。
【００１９】
一方、変形例として、複数段（ここでは、三段）の収納棚２４を個別に回動可能にしてもよい。この場合には、各種物品１２の出し入れに必要な段の収納棚２４のみを回動させればよいので、回動動作に必要な力が小さくてすみ、収納棚２４を軽く回動させて引き出し、収納することができる。
すなわち、支持軸２２を外部側位置Ｓ2まで引き出し可能にしたので、複数段ある収納棚２４のうち全段を回動させなくても、一部の段の収納棚２４のみをほぼ１８０度回動させて空きスペースを作り、この空きスペースを介して奥側収納部２１に手を伸ばして各種物品１２を出し入れすることも可能である。
【００２０】
開口部側収納部２０の収納棚２４は、外部側位置Ｓ2まで引き出された支持軸２２を中心として、ほぼ１８０度の回動可能範囲内で回動することができる（図８）。これにより、三段の収納棚２４全部を引き出して、矢印Ｇに示すように時計回り方向にほぼ１８０度回転させれば、各収納棚２４の全体がキャビネット７の外方に位置して、開口部１０の全体が大きく開いた状態になる（図９，図１０）。
したがって、奥側収納部２１を、開口部１０のところまでキャビネット７内を移動させれば、奥側収納部２１に対して開口部１０で各種物品１２を容易に出し入れすることができる。
【００２１】
開口部側収納部２０の収納棚２４は、回動可能範囲のうち収納側位置では係止手段（図示せず）に着脱可能に係止されて位置決めされるようになっている。また、回動可能範囲のうち最大引き出し位置では、収納棚２４の背面２８がキャビネット７の側板１３の前端面１４（または、ストッパなど）に当接することにより、収納棚２４が位置決めされるようになっている（図１０）。
収納棚２４は、全体が線材により平面視でほぼ矩形状に形成されているが、板材により形成した場合であってもよい。収納棚２４は、回動するときに奥側収納部２１と接触しないように、奥側収納部２１側に弧状部２９が形成されている。この弧状部２９は、収納棚２４がキャビネット７内に収納された状態のときに、平面視で後方右側に位置している。
収納棚２４は、支持部材３０により支持軸２２に回動自在に支持されている。支持部材３０は、収納棚２４に固定されるとともに、支持軸２２に対して所定の高さ位置で回動自在に係合している。これにより、収納棚２４は、支持部材３０を介して支持軸２２を中心に回動することができる。
【００２２】
奥側収納部２１の収納棚２７は、平面視で矩形状をなして全体が線材により形成されているが、板材により収納棚２７を形成してもよい。収納棚２７は、奥側収納部２１のフレーム２６から持ち上げて取外すことができるようになっている。
したがって、収納棚２７をフレーム２６から取外してキャビネット７の外部に持ち出して各種物品１２を出し入れすれば、作業性がよい。なお、ガイドレールなどを使って収納棚２７を左右方向に移動可能にして引き出し，収納できるようにしてもよい。
【００２３】
支持軸移動手段２３は、支持軸２２と、この支持軸２２に支持された開口部側収納部２０とを、片持ち状態で支持している。
支持軸移動手段２３は、支持軸２２に固定された二本のローラ支持部材４０と、ローラ支持部材４０に回動自在に取付けられた複数（ここでは、六個）のローラ４１と、キャビネット７の側板１３に取付けられてローラ４１を移動自在に支持するガイドレール４２とを有している。
二本のローラ支持部材４０は、上部位置と下部位置にそれぞれ水平方向で且つ前後方向に延びて配置されるとともに、互いに平行になっている。ローラ支持部材４０の前端部には支持軸２２が固定されている。
各ローラ支持部材４０には、複数（ここでは、三個）のローラ４１が、前後方向に規則的に並んで同じ高さ位置に配置されている。ローラ４１は、ローラ支持部材４０の側面４３から水平に且つ側板１３の方向（左方向）に突出した軸４４に、回動自在に軸支されている。
【００２４】
二本のガイドレール４２は、上下に位置する二本のローラ支持部材４０にそれぞれ対応して、水平方向に前後方向に延びて且つ互いに平行にキャビネット７に取付けられている。
各ガイドレール４２は、断面が中空矩形状をなしており、側面４５が側板１３に固定され、側面４５とは反対側（ローラ支持部材４０側）にスリット４６が形成されている。スリット４６は、前後方向に長く延びて水平に形成されている。
スリット４６には軸４４の根元部が前後方向に移動自在に係合し、ローラ４１は、ガイドレール４２の内方に位置して、ガイドレール４２内を自在に転動する。
【００２５】
したがって、ローラ支持部材４０とローラ４１は、ガイドレール４２により上下方向と左右方向の動きを規制された状態で、矢印Ｈに示すように、前後方向にのみ移動することができる。
これにより、上部と下部をそれぞれローラ支持部材４０で支持された支持軸２２は、内部側位置Ｓ1と外部側位置Ｓ2の間を、短い移動ストロークＳで矢印Ｈに示すように前後方向に短時間で移動することができる。
ローラ支持部材４０とガイドレール４２の剛性を高くし、上下のガイドレール４２にそれぞれ係合するローラ４１の数を複数（ここでは、三個）にして、片持ち支持する強度を上げているので、開口部側収納部２０はスムーズに前後方向に移動でき、また、回動する収納棚２４をしっかりと支持することができる。
本実施例では支持軸２２が回動しない場合を示したが、変形例として、ローラ支持部材４０に対して支持軸２２を相対的に回動自在に支持するとともに、支持軸２２に全段の収納棚２４を固定して、収納棚２４と支持軸２２が一体的に回動する場合であってもよい。
【００２６】
次に、収納庫１の動作について説明する。
図１に示すように、収納庫１を使用しないときは扉１１で開口部１０を閉めておく。この状態では、開口部側収納部２０と奥側収納部２１は、キャビネット７内の左半分と右半分にそれぞれ収納されている。
そして、支持軸２２は、開口部１０より内側（後方側）の内部側位置Ｓ1に位置している。ユーザＭはシステムキッチン２で調理などの作業を行う。
【００２７】
図２に示すように、収納庫１を使用するときは、扉１１を右方に移動させて開口部１０の全体を開ける。
次に、図６，図７に示すように、ユーザＭは開口部１０の前方に立ち、支持軸２２（および／または収納棚２４）を持ちながら矢印Ｊに示すように手前（前方）に引っ張って、支持軸２２が内部側位置Ｓ1から外部側位置Ｓ2のところまで移動するように、開口部側収納部２０を前方に引き出す。
【００２８】
支持軸２２が外部側位置Ｓ2のところまで移動したら、図８に示すように、三段全部の収納棚２４を、支持軸２２を中心として矢印Ｇに示すように時計回り方向に回転させる。そして、収納棚２４がほぼ１８０度回転して、収納棚２４の背面２８が側板１３の前端面１４に当接すると、収納棚２４はそれ以上は回転しない。この状態で、背面２８とキャビネット７の前面８はほぼ平行（または、直線状）になっている（図９，図１０）。
これにより、図９，図１０に示すように、開口部１０は、収納棚２４に邪魔されずにその全体が大きく開口する。
【００２９】
なお、本実施例の変形例として、他の家具５０が収納庫１と並んで設置される場合がある（図１１）。図示する家具５０は、収納棚２４の回転移動側すなわち収納庫１の側板１３の隣に並設されている。このような場合でも、収納棚２４は家具５０に邪魔されることなくほぼ１８０度回転して、開口部１０の全体が大きく開口する。
また、他の変形例として、図１１に示す家具５０の前面に把手５１が設けられている場合がある（図１２）。この場合、支持軸２２を上述と同じ外部側位置Ｓ2まで引き出して収納棚２４を回転させると、把手５１が収納棚２４の回転動作の邪魔になってしまう。
そこで、支持軸２２を内部側位置Ｓ1から開口部１０の近傍で且つより前方の外部側位置Ｓ2まで若干長い移動ストロークＳで引き出して、収納棚２４を回転させると、把手５１が収納棚２４の回転動作の邪魔にならずに、収納棚２４をほぼ１８０度回転させて、開口部１０の全体を大きく開口させることができる。
たとえば、支持軸移動手段２３におけるガイドレール４２自体を本実施例より少し長いものを使用することにより、支持軸２２の移動ストロークＳを若干長くして、支持軸２２をより前方の外部側位置Ｓ2まで引き出すことができる。
なお、支持軸移動手段２３を、支持軸２２の移動ストロークＳを調整可能な構成にすれば、移動ストロークＳが標準の場合（本実施例）と若干長い場合（前記他の変形例）の両方に自在に対応できるのでより好ましい。
【００３０】
本実施例では、こうして、収納棚２４の全体をキャビネット７の外方に引き出した状態で、矢印Ｅ（図１０〜図１２）に示すように、奥側収納部２１を開口部１０のところまでキャビネット７内を左方向に移動させる。
このとき、図９〜図１２に示すように、収納棚２４は開口部１０の前方にはないので、ユーザＭは、開口部１０のすぐ前（すなわち、奥側収納部２１のすぐ近く）に立って、奥側収納部２１に対して各種物品１２を容易に出し入れすることができる。
開口部側収納部２０の全体をキャビネット７の外部に引き出すことができるので、収納庫１の清掃時に、開口部側収納部２０が邪魔にならず容易にキャビネット７内の清掃を行うこともできる。
【００３１】
なお、収納棚２４が各種物品１２の出し入れ作業の邪魔にならなければ、収納棚２４を１８０度以下の回転角度で回転させる場合であってもよい。また、図８，図９に示すように、奥側収納部２１を移動させずに元の位置のままの状態で、ユーザＭがキャビネット７の内部に入って奥側収納部２１に対して各種物品１２を出し入れする場合であってもよい。このようにすれば、奥側収納部２１を移動させる動作が省略できるので、作業の負担が少ない。
【００３２】
以上、本発明の実施例（変形例を含む。以下同じ）を説明したが、本発明は上述の実施例に限定されるものではなく、本発明の要旨の範囲で種々の変形，付加などが可能である。
なお、各図中同一符号は同一または相当部分を示す。
【産業上の利用可能性】
【００３３】
本発明は、システムキッチンなど厨房家具に対して平面視で直角に設置されるとともに、収納庫のキャビネットの前面の一部と厨房家具とが接触状態または非接触状態で相対向する収納庫に適用可能である。
【図面の簡単な説明】
【００３４】
【図１】図１ないし図１２は本発明の一実施例を示す図で、図１は収納庫の平面断面図である。
【図２】収納庫とシステムキッチンの斜視図である。
【図３】収納庫の部分斜視図である。
【図４】収納庫の開口部側収納部の部分斜視図である。
【図５】収納庫の奥側収納部の斜視図である。
【図６】収納庫の平面断面図である。
【図７】収納庫とシステムキッチンの斜視図である。
【図８】収納庫の平面断面図である。
【図９】収納庫とシステムキッチンの斜視図である。
【図１０】収納庫の平面断面図である。
【図１１】本実施例の変形例を示す図で、他の家具が収納庫と並んで設置された場合の平面断面図である。
【図１２】図１１の家具に把手が設けられている場合の平面断面図である。
【図１３】従来の収納庫の平面断面図で、図１相当図である。
【図１４】従来の収納庫の平面断面図で、図１０相当図である。
【符号の説明】
【００３５】
１    収納庫
２    システムキッチン（厨房家具）
７    キャビネット
８    キャビネットの前面
１０  開口部
２０  開口部側収納部
２１  奥側収納部
２２  支持軸
２３  支持軸移動手段
２４  収納棚
Ｓ1   内部側位置
Ｓ2   外部側位置
【図１】
2006000418.tif 000003
【図２】
2006000418.tif 000004
【図３】
2006000418.tif 000005
【図４】
2006000418.tif 000006
【図５】
2006000418.tif 000007
【図６】
2006000418.tif 000008
【図７】
2006000418.tif 000009
【図８】
2006000418.tif 000010
【図９】
2006000418.tif 000011
【図１０】
2006000418.tif 000012
【図１１】
2006000418.tif 000013
【図１２】
2006000418.tif 000014
【図１３】
2006000418.tif 000015
【図１４】
2006000418.tif 000016